(57)【要約】【課題】  本発明の課題は、グレンタンクの容量を犠牲にしないように第２排塵口の遮蔽体の駆動用部材を配置した脱穀装置を提供することである。【解決手段】排塵処理６８の後端部に達した被処理物を外部へ排出する第１排塵口１０２と揺動棚５１の後端部に達した被処理物を外部へ排出する第２排塵口１０３から排出される被処理物に抵抗を与える開閉自在の板体１００を開閉させる開閉アーム１１１を吸引ファン９１の配置部位の反対側の排塵処理室６８の後端部より外方に延出した位置であって脱穀装置１５の後壁１５ａに支持させた。このため開閉アーム１１１が排塵処理室８２の横にある場合に比較してコンパクトに設置しており、グレンタンク３０の容量を犠牲にすることがない。【選択図】図７
2010075165.tif 000002
【特許請求の範囲】
【請求項１】
刈り取った穀稈を扱胴（６９）により脱穀処理する扱室（６６）と、
扱室（６６）の搬送方向終端部に達した被処理物を引き継いで処理する排塵処理胴（７１）を軸架し、扱室（６６）の後部側方に設けた排塵処理室（６８）と、
前記扱室（６６）及び排塵処理室（６８）の下方に設けられ、該扱室（６６）及び排塵処理室（６８）から落下する被処理物を後方に搬送しながら揺動選別する揺動棚（５１）を有する選別室（５０）と、
排塵処理室（６８）の側方であって、揺動棚（５１）の上側に設けられ、塵埃を吸引して外部へ排出するための吸引ファン（９１）を有する排塵室（８３）
を備えた脱穀装置（１５）において、
前記排塵処理室（６８）には、該排塵処理室（６８）の後端部に達した被処理物を排塵処理室（６８）から外部へ排出する第１排塵口（１０２）を設け、
前記選別室（５０）には、該選別室（５０）内の揺動棚（５１）の後端部に達した被処理物を外部へ排出する第２排塵口（１０３）を設け、
前記第１排塵口（１０２）及び第２排塵口（１０３）の出口部を開閉して、該両方の排塵口（１０２，１０３）から排出される被処理物に抵抗を与える板体（１００）を脱穀装置（１５）の後壁（１５ａ）に設け、
脱穀装置（１５）の後壁（１５ａ）に支持された前記板体（１００）の開閉用の開閉アーム（１１１）を、前記排塵処理室（６８）の後端部よりも後方の位置に延出させて設けた
ことを特徴とするコンバインの脱穀装置。
【請求項２】
前記排塵室（８３）の後方に藁を切断する排藁カッター（８１ａ，８１ｂ）と、該カッター（８１ａ，８１ｂ）で切断した切藁を下方に向けてガイドする切断藁ガイド（９６）を有する排藁処理室（８２）を設け、
前記板体（１００）の開閉用の開閉アーム（１１１）の回動支点となる開閉軸（１１０）を脱穀装置（１５）の後壁（１５ａ）と排藁処理室（８２）の前方部位に配置された切断藁ガイド（９６）の間に設けたことを特徴とする請求項１記載のコンバインの脱穀装置。
【発明の詳細な説明】
【技術分野】
【０００１】
本発明は、コンバインに搭載される脱穀装置に関する。
【背景技術】
【０００２】
コンバインは穀稈の刈取装置と、脱穀装置と、脱穀後一時的に貯留するグレンタンクと、グレンタンクに貯留されている穀粒を排出するオーガなどから構成される。  
脱穀装置の主脱穀部である扱室には刈取装置で刈り取った穀稈がフィードチェーンにより搬送、挿入され、穀稈は扱室に軸架された扱胴の表面に多数設けられた扱歯と扱網との相互作用により脱穀される。穀稈から分離された被処理物（穀粒や藁くず）は扱網を通過して、選別室の揺動棚で受け止められ唐箕からの送風による送風選別や揺動棚の揺動選別などによって二番穀粒や藁屑などを分離して穀粒のみをグレンタンクに搬送する。
【０００３】
二番穀粒は二番処理室に送られ二番処理胴により穀粒、枝梗粒などに分離され、再び揺動棚に落下して穀粒、二番穀粒、藁屑などに分離される。扱室で発生した藁くずなど短尺のものは排塵処理室に搬送され、排塵処理胴により処理される。脱穀装置の扱室の終端に到達した脱穀された残りの穀稈で長尺のままのものは、排藁搬送装置により搬送され、脱穀装置の後部の排藁処理室に投入された後、圃場に放出される。
【０００４】
コンバイン等に搭載される脱穀装置による上記脱穀作業は、省力化、能率化され、脱穀装置の扱室の他に、二番処理室、排塵処理室などを設け、脱穀の高能率化や穀粒回収の高効率化が図られている。そして、穀粒の回収効率を向上させるために、これら二番穀粒や揺動棚の終端部からコンバインの外部に排出される三番穀粒、扱室内で脱穀済み排藁に穀粒が刺さり込んでできる刺さり粒（正常な穀粒が藁と連れ回ることで藁に刺さって発生する）などの四番穀粒等の回収ロス低減を図ることは重要である。
【０００５】
例えば、機体の方向転換時に不当に処理物が排出されないように、揺動選別装置の終端部の第２排塵口に開閉自在な遮蔽体を設けてフィードチェーンの入り状態の時には遮蔽体を開き、フィードチェーンの切り状態の時には遮蔽体を閉じる構成が提案されている（下記特許文献１）。
【特許文献１】特開平９−１８７１５９号公報
【発明の開示】
【発明が解決しようとする課題】
【０００６】
上記特許文献１記載の構成によれば、枕地等の方向転換時のフィードチェーンの駆動停止時には第２排塵口の遮蔽体が閉じるため、唐箕からの送風を受けても処理物が機外に排出されるのを防止できる。しかし、特許文献１２では遮蔽体が揺動選別装置の搬送終端部側にあるストローラックの後端部の上方において、その上端部が機体を横断する方向に長い横軸芯の回りに揺動自在に支持されている。そのため、上記構成では遮蔽体の横軸芯の開閉駆動用の部材を脱穀装置に隣接する位置に配置する必要があり、その分、グレンタンクの容量が小さくなる。
【０００７】
本発明の課題は、グレンタンクの容量を犠牲にしないように第２排塵口の遮蔽体の駆動用部材を配置した脱穀装置を提供することである。
【課題を解決するための手段】
【０００８】
上記課題は次の解決手段により解決できる。  
請求項１記載の発明は、刈り取った穀稈を扱胴（６９）により脱穀処理する扱室（６６）と、扱室（６６）の搬送方向終端部に達した被処理物を引き継いで処理する排塵処理胴（７１）を軸架し、扱室（６６）の後部側方に設けた排塵処理室（６８）と、前記扱室（６６）及び排塵処理室（６８）の下方に設けられ、該扱室（６６）及び排塵処理室（６８）から落下する被処理物を後方に搬送しながら揺動選別する揺動棚（５１）を有する選別室（５０）と、排塵処理室（６８）の側方であって、揺動棚（５１）の上側に設けられ、塵埃を吸引して外部へ排出するための吸引ファン（９１）を有する排塵室（８３）を備えた脱穀装置（１５）において、前記排塵処理室（６８）には、該排塵処理室（６８）の後端部に達した被処理物を排塵処理室（６８）から外部へ排出する第１排塵口（１０２）を設け、前記選別室（５０）には、該選別室（５０）内の揺動棚（５１）の後端部に達した被処理物を外部へ排出する第２排塵口（１０３）を設け、前記第１排塵口（１０２）及び第２排塵口（１０３）の出口部を開閉して、該両方の排塵口（１０２，１０３）から排出される被処理物に抵抗を与える板体（１００）を脱穀装置（１５）の後壁（１５ａ）に設け、脱穀装置（１５）の後壁（１５ａ）に支持された前記板体（１００）の開閉用の開閉アーム（１１１）を、前記排塵処理室（６８）の後端部よりも後方の位置に延出させて設けたコンバインの脱穀装置である。
【０００９】
請求項２記載の発明は、前記排塵室（８３）の後方に藁を切断する排藁カッター（８１ａ，８１ｂ）と、該カッター（８１ａ，８１ｂ）で切断した切藁を下方に向けてガイドする切断藁ガイド（９６）を有する排藁処理室（８２）を設け、前記板体（１００）の開閉用の開閉アーム（１１１）の回動支点となる開閉軸（１１０）を脱穀装置（１５）の後壁（１５ａ）と排藁処理室（８２）の前方部位に配置された切断藁ガイド（９６）の間に設けた請求項１記載のコンバインの脱穀装置である。
【発明の効果】
【００１０】
請求項１記載の発明によれば、板体１００の開閉アーム１１１が排塵処理室６８の後端部より外方に延出した位置で、脱穀装置１５の後壁１５ａに設けたので、開閉アーム１１１が排塵処理室８２の横にある場合に比較してコンパクトに設置でき、グレンタンク３０の容量を大きく確保し、作業能率を高めることができる。
【００１１】
請求項２記載の発明によれば、請求項１記載の発明に加えて、板体１００は排藁カッター８１ａ，８１ｂによる切り藁の落下、拡散に支障をきたすことがなく設置でき、また、板体１００の開放量を最大限大きくすることができ、排塵物の脱穀装置１５の外部への排出が有効に行え、脱穀作業を円滑に行うことができる。
【発明を実施するための最良の形態】
【００１２】
本発明の実施例を図面と共に説明する。  
図１には本実施例の穀類の収穫作業を行うコンバインの左側面図を示し、図２にはコンバインの平面図を、図３にはコンバインの脱穀装置の一部切り欠き側面断面図を示す。なお、本実施の形態ではコンバインの前進方向に向かって前側と後側をそれぞれ前、後といい、左側と右側をそれぞれ左、右ということにする。
【００１３】
図１ないし図２に示すコンバイン１の走行フレーム２の下部には、ゴムなどの可撓性材料を素材として無端帯状に成型した左右一対のクローラ４を持ち、乾田はもちろんのこと、湿田においてもクローラ４が若干沈下するだけで自由に走行できる構成の走行装置３を備え、走行フレーム２の前部には刈取装置６を搭載し、走行フレーム２の上部には図示しないエンジンならびに脱穀装置１５、操縦席２０およびグレンタンク３０を搭載する。
【００１４】
刈取装置６は、図示しない刈取昇降シリンダの伸縮作用により刈取装置６全体を昇降して、圃場に植生する穀稈を所定の高さで刈取りができる構成としている。刈取装置６の前端下部に分草具７を、その背後に傾斜状にした穀稈引起し装置８を、その後方底部には刈刃（図示せず）を配置している。刈刃と脱穀装置１５のフィードチェン１４の始端部との間に、図示しない前部搬送装置、扱深さ調節装置、供給搬送装置などの搬送装置９を順次穀稈の受継搬送と扱深さ調節とができるように配置している。
【００１５】
コンバイン１の刈取装置６の作動は次のように行われる。まず、エンジンを始動して変速用、操向用などの操作レバーをコンバイン１が前進するように操作し、刈取・脱穀クラッチ（図示せず）を入り操作して機体の回転各部を伝動しながら、走行フレーム２を前進走行させると、刈取、脱穀作業が開始される。圃場に植立する穀稈は、刈取装置６の前端下部にある分草具７によって分草作用を受け、次いで穀稈引起し装置８の引起し作用によって倒伏状態にあれば直立状態に引起こされ、穀稈の株元が刈刃に達して刈取られ、前部搬送装置に掻込まれて後方に搬送され、扱深さ調節装置、供給搬送装置に受け継がれて順次連続状態で後部上方に搬送される。
【００１６】
穀稈は供給搬送装置からフィードチェン１４の始端部に受け継がれ、脱穀装置１５に供給される。脱穀装置１５は、上側に扱胴６９を軸架した扱室６６を前板９７と後板９８の間に配置し、扱室６６の下側に選別室５０を一体的に設け、供給された刈取穀稈を脱穀、選別する。
【００１７】
脱穀装置１５に供給された穀稈は、後で詳細に説明するが、主脱穀部である扱室６６に挿入され、扱室６６に軸架され回転する扱胴６９の多数の扱歯６９ａと、フィードチェン１４による移送と、扱網７４との相互作用により脱穀され、被処理物（穀粒や藁くず）は脱穀装置１５内の選別室５０の揺動棚５１で受け止められ、上下前後方向に揺動する揺動棚５１上を移動しながら、唐箕７９からの送風を受けて風力選別され、比重の重い穀粒はシーブ５３、５４および選別網６３を通過し、一番螺旋６５から、搬送螺旋を内蔵している一番揚穀筒（図示せず）を経てグレンタンク３０へ搬送され、グレンタンク３０に一時貯留される。一番揚穀筒の長手方向の軸芯上にグレンタンク３０の籾排出口を設けている。
【００１８】
脱穀装置１５の扱室６６の終端に到達した脱穀された残りの穀稈で長尺のままのものは、排藁チェーン８０ａ（図４）および排藁穂先チェーン８０ｂ（図４）に挟持されて搬送され、脱穀装置１５の後部の排藁処理室８２に投入されて圃場に放出される。排藁処理室８２内には排藁カッター８１ａ、８１ｂが設けられており、排藁カッター８１ａ、８１ｂにより切断された穀稈は、排藁カッター８１ａ、８１ｂの下方であって、排藁処理室８２の前壁部に基部が支持され、後方下り傾斜に設けられた板状の切断藁ガイド９６（図３）により案内されて圃場に放出される。
【００１９】
グレンタンク３０内の底部に穀粒移送用のグレンタンク螺旋（図示せず）を設け、グレンタンク螺旋を駆動する螺旋駆動軸（図示せず）に縦オーガ１８および横オーガ１９からなる排出オーガを連接し、グレンタンク３０内に貯留した穀粒を排出オーガ排出口からコンバイン１の外部に排出する。グレンタンク螺旋、縦オーガ螺旋（図示せず）および横オーガ螺旋（図示せず）は、エンジンの動力の伝動を受けて回転駆動され、それぞれの螺旋羽根のスクリュウコンベヤ作用により貯留穀粒を搬送する。
【００２０】
図４には図１のコンバインの脱穀装置１５の扱胴６９付近の平面図を示し、図５には図１のコンバインの選別室の平面図を示し、図６には図１のコンバインの脱穀装置の背面図を示す。  
刈取装置６で刈り取った穀稈は刈取装置６に装着された穀稈搬送、調節装置で扱深さが調節され、脱穀装置１５の主脱穀部である扱室６６内に挿入される。扱室６６に軸架された扱胴６９は、その表面に多数の扱歯６９ａが設けられており、図示しない駆動機構により、エンジンからの動力により、図４と図６の矢印Ｂ方向に回転する。扱室６６に挿入された穀粒の付いた穀稈は、移動するフィードチェン１４により図４の矢印Ａ方向に移送されながら、矢印Ｂ方向に回転する扱胴６９の扱歯６９ａと扱網７４との相互作用により脱穀される。穀稈から分離された被処理物（穀粒や藁くず）は扱網７４を通過して、揺動棚５１で受け止められる。
【００２１】
揺動棚５１は、扱室６６の扱網７４の下方に配置した移送棚５２とその後方に配置した上方の第１チャフシーブ５３、第２チャフシーブ５４とその下方の選別網６３と最後端部に配置したストローラック６２などから構成されている。
【００２２】
第１チャフシーブ５３と第２チャフシーブ５４は、揺動しながら各シーブ間から被処理物を漏下させ、唐箕７９からの送風により風力選別する点で共通しているが、被処理物の搬送方向前方側の第１チャフシーブ５３の方が後方側にある第２チャフシーブ５４に比べて各シーブの大きさが小さく、各シーブ間の距離が多少狭い構成である。被処理物の搬送方向前方側では、被処理物中における単粒の含有率が高く、藁屑の漏下を抑えながら単粒だけを漏下させ、藁屑をより後方へ移送するために、このような構成としている。
【００２３】
また、第１チャフシーブ５３の上方に、揺動棚５１上の被処理物を拡散させる拡散ガイド８８を、被処理物の搬送方向に向かって拡散ガイド８８の前端が前記移送棚５２の上方に位置するように設けている。  
そして移送棚５２には複数個のラック状の選別板５２ａを備えており、移送棚５２は第１チャフシーブ５３の前方に配置されている。移送棚５２は扱胴６９の下方に配置して二番処理物を受け止め得る構成になっている。  
扱網７４（図３）の前方の領域で漏下する脱穀初期に脱粒した穀粒は単粒であり夾雑物も含んでいないので第１チャフシーブ５３や第２チャフシーブ５４上で粗選別する必要が無く、直接選別網６３で後述する唐箕７９からの送風により風選することができ、これらチャフシーブ５３、５４の負荷を軽くし、能率的な脱穀が可能となる。
【００２４】
また、揺動棚５１は図示しない揺動棚駆動機構の作動により上下前後方向に揺動するので、被処理物は矢印Ｄ方向（図３）に移動しながら、揺動棚５１上に漏下した比重の重い穀粒は選別網６３を矢印Ｅ方向に通過し、一番棚板６４で集積され、一番螺旋６５から一番揚穀筒（図示せず）を経てグレンタンク３０へ搬送される。グレンタンク３０に貯留された穀粒は、オーガ１８、１９を経由してコンバイン１の外部へ搬送される。
【００２５】
揺動棚５１の上の被処理物のうち軽量のものは、揺動棚５１の揺動作用と唐箕７９のファン７９ａによる送風に吹き飛ばされて揺動棚５１から第１チャフシーブ５３、第２チャフシーブ５４に向けて矢印Ｄ方向に移動し、ストローラック６２の上で大きさの小さい二番穀粒は矢印Ｇ方向に漏下して二番棚板８５に集められ、二番螺旋８６で二番揚穀筒８７（図７）へ搬送される。
【００２６】
二番穀粒（二番物ということがある）は、正常な穀粒、枝梗粒、藁くずおよび藁くずの中に正常な穀粒が刺さっているササリ粒などの混合物であり、二番揚穀筒８７の中を二番揚穀筒螺旋（図示せず）により揚送されて、二番処理室入口から二番処理室６７の上方へ放出される。二番処理室６７の下部に軸架する二番処理胴７０はエンジンからの動力を伝動して駆動機構により、図４の矢印Ｊ方向に回転する。二番穀粒は二番処理胴７０に植設してある多数の処理歯７０ａに衝突しながら矢印Ｉ方向（図３、図４）に進行する間に二番穀粒の分離と枝梗粒の枝梗の除去を行い、被処理物の一部は二番処理胴７０の下方に設けられた受網（図示せず）を通り抜けて選別室５０に漏下し、被処理物の大部分は移送棚５２から第１チャフシーブ５３、第２チャフシーブ５４方向に送られ、穀粒は第１チャフシーブ５３、第２チャフシーブ５４と選別網６３を通り、一番螺旋６５に集められる。
【００２７】
このように二番物を移送棚５２上に回収して第１チャフシーブ５３、第２チャフシーブ５４による再処理をすることにより、穀粒と藁くずとの分離が良好になる。  
扱室６６を図４の矢印Ａ方向に進行し、扱室６６の終端に到達した被処理物の中の脱穀された穀稈で長尺のままのものは、図４に示す矢印Ａ１方向に搬送され、排藁処理室８２に投入される。
【００２８】
また、扱室６６の扱胴６９による被処理物搬送方向終端部側に到達した被処理物の中で、藁くずなど短尺のものは、扱室６６の扱胴６９による被処理物の搬送方向終端部と排塵処理室６８の排塵処理胴７１による被処理物の搬送方向始端部とを連通する連通口１０１にある排塵処理室入口６８ａから矢印Ａ２（図４）方向に投入されて、扱室６６からの取り込みを良好にする螺旋７１ｂの作用により排塵処理室６８に入り、排塵処理室６８では回転する排塵処理胴７１の処理歯７１ａにより矢印Ｋ方向（図３）に搬送されながら処理される。なお、排塵処理胴７１の上手側に螺旋７１ｂが設けられ、排塵処理胴７１の下手側に処理歯７１ａが設けられている。排塵処理胴７１の扱室６６側には格子状の排塵処理胴枠７２（図６）が排塵処理胴７１の下側及び扱室６６側の外周に沿って設けられ、排塵処理室６８の濾過体を構成している。
【００２９】
前記排塵処理胴枠７２の後端７２ａ（図３）は、排塵処理室６８の後端６８ｂ（図３）よりも所定距離だけ前方に配置され、この排塵処理胴枠７２の後端７２ａと排塵処理室６８の後端６８ｂとの間に、排塵処理室６８の後端部に達した被処理物を脱穀装置１５の外部へ排出する第１排塵口１０２を、揺動棚５１上に向かう斜め下方向および後方に向けて開口して設けている。
【００３０】
排塵処理室６８に入った少量の穀粒を含む藁くずを主体とする被処理物の中の漏下物（穀粒）は受け網７６（図３）から揺動棚５１上に漏下し、揺動棚５１に設けられたストローラック６２に誘導されて二番棚板８５から二番揚穀筒８７を経由して二番処理室６７に送られる。なお、同軸上にある二番処理胴７０と排塵処理胴７１の駆動は図示しないがエンジンから駆動力をプーリを介して行われる。
【００３１】
図３に示すように、脱穀装置１５の後部に被処理物を吸引するための吸引ファン９１を設け、排塵処理室６８を含む脱穀装置１５内で発生する排塵のうち、比重の軽い藁くず、枝梗および塵埃を含む空気を吸引ファン９１の回転による送風で吸引し、第３排塵口９２から矢印Ｌ方向へ吹き出して、コンバイン１の外部へ放出する。
【００３２】
一方、吸引ファン９１の回転による送風で吸引されない被処理物は揺動棚５１の終端部であるストローラック６２の後端に設けられ、脱穀装置１５の後壁１５ａに形成された第２排塵口１０３からコンバイン１の外部に排出される。
【００３３】
揺動棚５１上を後方へ移送されてきた藁屑でチャフシーブ５３，５４やストローラック６２の目合いから濾過しないものは、揺動棚５１の揺動やストローラック６２の移送作用によって第２排塵口１０３から脱穀装置１５の外部に排出されるが、この藁屑中には穀粒がわずかに含まれることがあり、このように藁屑とともにコンバイン１の外部に排出される穀粒を三番穀粒と言い、三番穀粒が脱穀装置１５の外部に排出されることを三番ロス（三番損失）、三番穀粒の回収ロスなどと言う。
【００３４】
また、排塵処理室６８から揺動棚５１の終端部に矢印Ｍ（図３）のように落ちた排塵（排塵物）のうち二番穀粒、三番穀粒など小径で比重の重いものは、揺動棚５１の終端部のストローラック６２あるいは第２チャフシーブ５４を矢印Ｇ方向へ通過して二番棚板８５に漏下し、再び二番処理室６７において処理される。
【００３５】
本実施形態によれば、図６の脱穀装置内部の背面図に示すように、扱室６６の後側で揺動棚５１の上側に形成した排塵室８３内において、扱胴６９を挟んで排塵処理室６８と対向する位置に吸引ファン９１を設け、排塵処理室６８の後端部の第１排塵口１０２から排出される排塵物や揺動棚５１上の後部に達した排塵物を吸引ファン９１の回転による送風で吸引し、吸引ファン９１の下方にある第３排塵口９２へ導いて、コンバイン１の外部に排出している。
【００３６】
また、排塵処理室６８の第１排塵口１０２よりも後方で揺動棚５１の後端部上側の部位には、揺動棚５１の後端部側に達した被処理物をコンバイン１の外部に排出するための第２排塵口１０３を設けており、第２排塵口１０３からは上記三番穀粒が排出されることを防止するために、開閉自在のシャッタ（板体）１００を設けている。
【００３７】
図６に示すようにシャッタ１００は左右方向に長手方向を有する板体により形成され、また図７の排塵処理室６８と排藁処理室８２の部分拡大側面図に示すように、シャッタ１００の上端部には脱穀装置１５の後壁１５ａを後側に延在させた突出部分に両端を支持され、左右方向に伸びた開閉軸１１０を支点として、シャッタ１００の下端部を開放自在にしている。
【００３８】
また、シャッタ１００は開閉軸１１０と一体であり、開閉軸１１０が回動すると、該開閉軸１１０と共に一体的にシャッタ１００の下端が開放される。また開閉軸１１０には、該開閉軸１１０と直交する方向に平面を有する板材からなる開閉アーム１１１を固着しているので、該開閉アーム１１１を開閉軸１１０を支点として回動させると、開閉軸１１０もこの動きに同伴して回動する。
【００３９】
開閉アーム１１１の前記支点（開閉軸１１０との連結部）とは反対側の端部には、後述する刈取装置６の上下動と連動して押し引き操作が可能な操作ワイヤ１０７に連結しており、また開閉アーム１１１の操作ワイヤ１０７との連結部には該操作ワイヤ１０７とは反対側に開き方向付勢スプリング９５の一端に連結している。開き方向付勢スプリング９５の他端は脱穀装置１５の後壁１５ａ側に連結している。従って、開閉アーム１１１は常時シャッタ１００を開く方向に付勢されている。      
操作ワイヤ１０７を弛ませると、図７に示すように、開き方向付勢スプリング９５の引っ張り力によって矢印Ａ方向に開閉アーム１１１を動かしてシャッタ１００を開く方向に作動させる。
【００４０】
図６に示すように第２排塵口１０３を開閉するシャッタ１００とその支点となる開閉軸１１０は、脱穀装置部分の後方視において第３排塵口９２に排塵する吸引ファン９１の設置部分とは反対側の排塵処理胴７１側に延出し、排塵処理室６８の終端より後方に設けている。
【００４１】
この操作ワイヤ１０７の引き操作は、後述するように刈取装置６の上昇に連動して操作ワイヤ１０７を引き操作してシャッタ１００を閉じる構成とするとよく、また、操縦席２０付近に設けたレバーの操作によって行うように構成してもよい。
【００４２】
このように脱穀装置１５の終端から後方の排藁カッター８１ａ，８１ｂが設置されている排藁処理室８２への開閉軸１１０の突出を抑え、排藁処理室８２からの切り藁の落下を妨げることがない。また、第２排塵口１０３からの排塵物の排出を妨げることがない。開閉アーム１１１が排塵処理室８２の横にある場合に比較してコンパクトに設置しており、グレンタンク３０の容量を犠牲にすることがない。
【００４３】
シャッタ１００の回動支点となる開閉軸１１０は脱穀装置１５の終端と排藁処理室８２の前方部位にある切断藁ガイド９６との間の空間部に設けているので、シャッタ１００は排藁カッター８１ａ，８１ｂによる切り藁等の落下、拡散に支障をきたすことがなく設置でき、また、シャッタ１００の開放量を最大限大きくすることができ、排塵物の機体外部への排出が有効に行える。
【００４４】
図８の刈取装置６の要部側面図と図９の図８の矢印S方向から見た図に示すように、シャッタ１００の開閉手段は刈取装置６の上下動に連動して開閉するようにしている。刈取装置６の刈取懸架台１１５の先端の懸架メタル１１４に設けられた刈取支持アーム１１６をその回動軸１１６ａを支点として刈取上下油圧シリンダ１１７により図８の２点鎖線位置に上げると、前記回動軸１１６ａに設けられたカム１１８が回動軸１１６ａを中心に矢印Ａ方向に回動し、該カム１１８の側面上を転がるローラ１１９を先端部に有する回動アーム１２１が回動支点１２１ａを中心に矢印Ｂ方向に回転し、該回動アーム１２１の基端部に接続したシャッタ操作ワイヤ１０７が矢印Ｃ方向に回動してシャッタ１００が第２排塵口１０３を閉じる方向に回動する。
【００４５】
こうして第２排塵口１０３の開閉を安価な構成で確実に行える。また、前記カム１１８は刈取上下検知作用があり、該カム１１８の配置は刈取装置６の上下方向回動軸１１６ａの近傍に設けている。また、操作ワイヤ１０７等も刈取懸架台１１５の上方の前記回動軸１１６ａの近傍に配置しているので、刈取装置６の上下動を搬送穀稈に支障なく、コンパクトにレイアウトできる。また、湿田作業等でも土泥等の溜まり等がない。
【００４６】
また、第２排塵口１０３の開閉を刈取装置６の上下動に連動して作用するカム１１８を用いて行うので、刈取装置６が所定の高さまで上昇すると瞬時にシャッタ１００が閉じ動作を開始するので、圃場のコーナー部で排出する藁のロスの低減効果が良い。  
また、カム１１８の設置部を刈取装置６の上下方向回動軸１１６ａの近傍に設けているため、カム１１８がコンパクトに構成でき、カム１１８を設けることにより刈取装置６の穀稈供給搬送部の設置等に支障がなく、該穀稈供給搬送部への穀稈の引っ掛かり、湿田の泥水等による作動不良のおそれもない。
【００４７】
図１０の排塵処理室６８と排藁処理室８２の部分拡大側面図に示すようにシャッタ１００を第２排塵口１０３の開放時だけでなく、揺動棚５１の着脱時等においてさらに大きく開放するメンテナンス状態に切替可能とした。このため、揺動棚５１の着脱が容易となり、また揺動棚５１とその周りの清掃をはじめとしてメンテナンス性が従来より向上する。
【００４８】
また収穫物が湿材であるとき又は多収量である時などではシャッタ１００を大きく開放して作業することができ揺動棚５１の上での被処理物の詰まり等の不具合を防止できる。
【００４９】
前記シャッタ１００は、第１排塵口１０２及び第２排塵口１０３から排出される被処理物に抵抗を与えるように、脱穀装置１５の背面視において、前記第１排塵口１０２および第２排塵口１０３の設置範囲を覆うように設ける。
【００５０】
また、上記シャッタ１００は開閉角度を変更、固定できるようにしても良い。例えば、揺動棚５１上の籾などの被処理物の層厚が少ない場合は三番穀粒の回収ロスを防ぐために開閉角度を小さくし、逆に揺動棚５１上の被処理物の層厚が厚い場合は開閉角度を大きくするなど、また揺動棚５１上の被処理物の層厚に限らず、全体の穀稈の処理量や圃場の状態（乾燥、湿気等）などに応じて適宜変更できるようにすればよい。
【００５１】
第２排塵口１０３及び第２排塵口１０３開閉用のシャッタ１００は脱穀装置１５の背面視で排塵処理胴７１と重複して設けられており、シャッタ１００の閉時には、排塵処理室６８の後端部側に達した排塵物は、扱胴６９を挟んで排塵処理室６８と対向する位置にある吸引ファン９１の吸引風によって矢印Ｐ方向（図６）に流れてシャッタ１００手前のストローラック６２上を通過して吸引ファン９１の下方の第３排塵口９２から脱穀装置１５の外部に排出される。
【００５２】
シャッタ１００の開放時には、揺動棚５１上を後方へ移送されてきた藁屑でチャフシーブ５３，５４やストローラック６２の目合いから濾過しない被処理物が第２排塵口１０３から排出されるが、排塵処理室６８の後端部側に達した排塵物も第１排塵口１０２から排出される前に流路途中の受け網（格子）７６の目合いから若干排出される。
【００５３】
しかし、シャッタ１００の閉時には、背面視で第１排塵口１０２と第２排塵口１０３及びシャッタ１００が重複して設けられているため、シャッタ１００により第２排塵口１０３から排出される被処理物のみならず、排塵処理室６８の後端部側に達して第１排塵口１０２から排出される被処理物にも抵抗を与えるため、揺動棚５１の後端部側に達した被処理物や排塵処理室６８の後端部側に達した排塵物の脱穀装置１５の外部への排出が抑制されて、すなわち容易に排出されなくなる。
【００５４】
圃場に植生する穀稈の刈取が終わって揺動棚５１上の籾などの被処理物の層厚が少なくなると、唐箕７９の送風によりコンバイン１の機外に藁屑とともに三番穀粒も吹き飛ばされ易くなるが、第２排塵口１０３のシャッタ１００を閉じることで、三番穀粒の回収ロスが低減する。  
例えば、圃場の一辺を刈り終えて次辺へ旋回する際に、シャッタ１００を閉じれば揺動棚５１上の穀粒を含んだ藁屑の他に、排塵処理胴７１の終端部側から排出される排塵物の流れに抵抗を与えて排出を止めることができる。
【００５５】
したがって、排塵処理胴７１の搬送終端部側から排出される排塵物を排塵処理胴７１に対向する吸引ファン９１に導き第１排塵口１０２から排出されるまでの間に揺動棚５１上に停滞させ、揺動棚５１の揺動と吸引ファン９１の吸引風によって揺動棚５１上で選別することができ、排塵物中の刺さり粒やカギ又などが回収されやすくなる。
【００５６】
そして、シャッタ１００が開いている時でも排塵処理胴７１の被処理物の搬送終端部から排出される被処理物を吸引ファン９１に導くまでの間に、ある程度揺動棚５１上で選別することができるが、特にシャッタ１００を閉じた時はこの選別、回収効果も高まるので、三番穀粒の回収ロスの低減が図れ、穀粒の回収効率を向上させると共に刈取脱穀作業の効率を高めることができる。
【００５７】
また、第２排塵口１０３のシャッタ１００を開放したときは、シャッタ１００が排藁カッター８１ａ、８１ｂの切断藁ガイド９６の下方で切断藁ガイド９６の下面に沿うように設けると良い。すなわち、図３に示すように、シャッタ１００の開放時はシャッタ１００の平面部と切断藁ガイド９６の平面部が平行になるような構成である。
【００５８】
排藁処理室８２の上方から排藁カッター８１ａ、８１ｂに入って切断された排藁は矢印Ｑ方向（図３）に流れて揺動棚５１の方向に入りやすい。このように切断された藁が二番棚板８５から二番螺旋８６に落ちると穀粒の選別性能が悪くなる。
【００５９】
しかし、本構成を採用することで、排藁カッター８１ａ、８１ｂの切断藁ガイド９６の下方で切断藁ガイド９６の下面に沿うようにシャッタ１００を設けることで、シャッタ１００の開放時には切断された排藁や土泥などが切断藁ガイド９６から落下しても、シャッタ１００上面を後部下方へ滑り落ち、排藁処理室８２側に案内されることで、揺動棚５１の方向に入ることを防ぐ。また、これら切断藁や排藁に付着していた土泥などがシャッタ１００上に溜まることを防いで、シャッタ１００の開放に支障がないようにし、更に切断藁ガイド９６に当たらない範囲で可能な限り第２排塵口１０３の開放角度を大きくすることができる。
【００６０】
また、図３に示すように、唐箕７９からの選別風の風路上には風割部１０５が設けられており、唐箕７９からの選別風は風割部１０５によって上方風路Ａと下方風路Ｂに分割される。そして、図３に示すように、この風割部１０５の側断面形状は、風割部上面１０５ａを一直線形状とし、下面１０５ｂを選別室５０の底面とほぼ平行にして下面１０５ｂの後端部を上方に屈曲して上面１０５ａと接続した逆山形形状（逆３角形状）としている。
【００６１】
従来の脱穀装置の風割部は側断面形状が山形状（３角形状）であるが、山形状のものでは上方風路Ａの選別風が山形状の山を越えた後、山形形状に沿って下方に流れて下方風路Ｂから上方へ向かう選別風に合流するようになるため、選別風が上方に吹き上がりにくくなる。また、下方風路から上方に向かう選別風が風割部の山形形状に沿って上方前側に戻り上方風路からの選別風と合流すると、上方風路から上方に向かう風の流れの障害となり選別風が上方に吹き上がりにくくなる。
【００６２】
したがって、従来の脱穀装置の風割部では揺動棚５１の下面にある選別網６３を唐箕７９の選別風が抜けにくいという問題がある。また、風割部の後面（後方）に乱流域が発生しやすい。すなわち、唐箕７９から選別室５０上方へ向かう選別風にロスが生じ、選別風が有効に作用しない。
【００６３】
しかし、本構成を採用することにより、上方風路Ａの後方に向かって流れる選別風に下方風路Ｂの選別風が下方から後部上方に向けて流れることで上方風路Ａの選別風の送風方向に沿って下方風路Ｂの上方へ向かう選別風が合流するようになるので、風割部上面１０５ａの後方上り傾斜に沿って選別風が吹き上がり、吹き上がった風が上方の選別網６３を抜けやすくなる。すなわち、唐箕７９から選別室５０上方へ向かう選別風を有効利用できる。したがって、揺動棚５１の前方部における送風選別能力が向上し、選別処理能率の向上や選別性能の向上に繋がる。
【００６４】
また、 風割部１０５の上面１０５ａの延長線（点線Ｔ）上に選別網６３の後端部が位置するようにすると良い。 本構成を採用することにより、 上方風路Ａからの上方に向かう選別風が、点線Ｔ（図３）に沿ってちょうど選別網６３の下方から上方に抜けるように吹かせることができる。したがって、チャフシーブ５３，５４間から濾過する被処理物に選別風が当たりやすくなることで被処理物の送風選別を良好にし、被処理物の濾過の促進が図れて３番穀粒の回収ロスの低減に繋がる。
【産業上の利用可能性】
【００６５】
本発明の脱穀装置はコンバインなどの収穫した穀粒の処理装置に利用できる。
【図面の簡単な説明】
【００６６】
【図１】本発明の実施の形態の穀類の収穫作業を行うコンバインの左側面図である。
【図２】図１のコンバインの平面図である。
【図３】図１のコンバインの脱穀装置の側面断面図である。
【図４】図１のコンバインの脱穀装置の扱胴付近の平面図である。
【図５】図１のコンバインの選別室の平面図である。
【図６】図１のコンバインの脱穀装置の背面図である。
【図７】図１のコンバインの排塵処理室と排藁処理室の部分拡大側面図である。
【図８】図１のコンバインの刈取装置の上下駆動部の右側面図である。
【図９】図８の矢印Ｓ方向からの矢視図である。
【図１０】図１のコンバインの排塵処理室と排藁処理室の部分拡大側面図操縦席の側断面図である。
【符号の説明】
【００６７】
１  コンバイン                  ２  走行フレーム
３  走行装置                    ４  クローラ
６  刈取装置                    ７  分草具
８  穀稈引き起こし装置          ９  搬送装置
１４  フィードチェン            １５  脱穀装置
１５ａ  後壁
１８  縦オーガ                  １９  横オーガ
２０  操縦席                    ３０  グレンタンク
５０  選別室                    ５１  揺動棚
５２  移送棚                    ５２ａ  選別板
５３  第１チャフシーブ          ５４  第２チャフシーブ
６２  ストローラック            ６３  選別網
６４  一番棚板                  ６５  一番螺旋
６６  扱室                      ６６ａ  回収室
６７  二番処理室                ６８  排塵処理室
６８ａ  排塵処理室入口          ６８ｂ  排塵処理室の後端
６９  扱胴                      ６９ａ  扱歯
７０  二番処理胴                ７０ａ  処理歯  
７１  排塵処理胴                ７１ａ  処理歯
７１ｂ  螺旋                    ７２  排塵処理胴枠
７２ａ  排塵処理胴枠の後端
７４  扱網                      ７６  受け網
７９  唐箕                      ７９ａ  唐箕ファン
８０ａ  排藁チェーン            ８０ｂ  排藁穂先チェーン
８１ａ、８１ｂ  排藁カッター    ８２  排藁処理室
８３  排塵室                    ８５  二番棚板
８６  二番螺旋                  ８７  二番揚穀筒
８７ａ  二番揚穀筒螺旋          ８８  拡散ガイド
９１  吸引ファン                ９２  第３排塵口
９５  スプリング                ９６  切断藁ガイド
９７  前板                      ９８  後板
１００  シャッタ（板体）        １０１  連通口
１０２  第１排塵口              １０３  第２排塵口
１０５  風割部                  １０７  操作ワイヤ
１１１  開閉アーム              １１０  開閉軸
１１４  懸架メタル              １１５  刈取懸架台
１１６  刈取支持アーム          １１６ａ  回動軸
１１７  刈取上下油圧シリンダ
１１８  カム                    １１９  ローラ
１２１  回動アーム              １２１ａ  回動支点
【図１】
2010075165.tif 000003
【図２】
2010075165.tif 000004
【図３】
2010075165.tif 000005
【図４】
2010075165.tif 000006
【図５】
2010075165.tif 000007
【図６】
2010075165.tif 000008
【図７】
2010075165.tif 000009
【図８】
2010075165.tif 000010
【図９】
2010075165.tif 000011
【図１０】
2010075165.tif 000012